(57)【要約】      （修正有）【課題】構造も製造も簡単な、小型化の電気コネクタを提供する。【解決手段】電気コネクタは、基部１１０と、絶縁本体１０と、絶縁本体に挿入される複数の導電端子３０と、絶縁本体に固着されるハウジングとを備える。絶縁本体は、基部から延在する舌板１２０と、基部の両端に配置された一対の保持部１３０とを有する。導電端子は、舌板に挿入される接触部３１１と、外部に向かって延在する半田部３１２とを含む。ハウジングは、開口が形成された対応筐体を具備する。該対応筐体２００は、一対の保持部の間に嵌め込まれ、舌板を包囲する。【選択図】図１
0003118092.tif 000002
【実用新案登録請求の範囲】
【請求項１】
電気コネクタであって 
基部と、基部から延在する舌板と、基部の両端に配置された一対の保持部とを含む絶縁本体と、
該絶縁本体に挿入されるよう構成され、舌板に挿入される接触部と外部に向かって延在する半田部とを含む複数の導電端子と、
絶縁本体に固着されるよう構成され、開口が形成された対応筐体を含むハウジングと、
を備え、前記対応筐体は、一対の保持部の間に嵌め込まれ、舌板を包囲するようになっていることを特徴とする電気コネクタ。
【請求項２】
前記対応筐体の前辺の両端には、一対の凸状部片が開口に向かって折れ曲がっていることを特徴とする、請求項１に記載の電気コネクタ。
【請求項３】
舌板を包囲する前記対応筐体は、周囲が密閉された框体として形成されていることを特徴とする、請求項１に記載の電気コネクタ。
【請求項４】
前記対応筐体は、互いに係合し合う一対の歯形の係合部を末端に有する金属片から、折り曲げて製作されていることを特徴とする、請求項３に記載の電気コネクタ。
【請求項５】
前記保持部は、導入孔が形成された前表面を有することを特徴とする、請求項１に記載の電気コネクタ。
【請求項６】
前記対応筐体の前辺と、保持部の前表面とは、ほぼ同じ平面に位置することを特徴とする、請求項５に記載の電気コネクタ。
【請求項７】
前記一対の保持部は、対向する一対の側面を含み、ハウジングの対応筐体には、一対の側壁を含み、両側面の間の距離と両側壁の間の距離とは、ほぼ同じであることを特徴とする、請求項１に記載の電気コネクタ。
【請求項８】
前記対応筐体の前記側壁には、それぞれ絶縁本体の基部から離反するように半田脚が設けられていることを特徴とする、請求項７に記載の電気コネクタ。
【請求項９】
前記基部には、保持部の側面に沿って、基部の前表面と後表面とを貫通する一対の貫通槽が形成されていることを特徴とする、請求項８に記載の電気コネクタ。
【請求項１０】
前記対応筐体の側壁には、貫通槽に収容されるよう構成された一対の延出アームが設けられていることを特徴とする、請求項９に記載の電気コネクタ。
【請求項１１】
前記絶縁本体には、一対の突出部が設けられており、各延出アームの末端には、該延出アームから直角に折れ曲がっていて前記突出部を収容する係合孔が形成された折れ曲げ部が設けられていることを特徴とする、請求項１０に記載の電気コネクタ。
【請求項１２】
前記基部は、内側に係合部が設けられた一対の凹槽が形成されている頂面を含むことを特徴とする、請求項７に記載の電気コネクタ。
【請求項１３】
前記対応筐体には、前記係合部に係合する係合槽が形成された一対の固持部が設けられており、該固持部は、対応筐体から後方に突出していて、基部の凹槽に嵌め込まれるよう構成されていることを特徴とする、請求項１２に記載の電気コネクタ。
【考案の詳細な説明】
【技術分野】
【０００１】
本考案は電気コネクタに関し、特に、ハウジングを含む小型化された電気コネクタに関する。
【背景技術】
【０００２】
電気コネクタは、対応部を含む絶縁本体と、該絶縁本体に固着されるハウジングと、絶縁本体に挿入される複数の導電端子と、ハウジングとを備える。対応部の両側には、一対の締め付け部を含む保持部が設けられる。ハウジングは、絶縁本体の対応部を覆う槽状筐と、槽状筐の両端から外へ延在する固持部とを有する。該固持部には、一対の貫通孔が形成される。一対のピンは、対応する貫通孔を通り抜け、締め付け部に固着される。ハウジングは、ピンが通孔と係合されることによって、絶縁本体に固着される。こうした電気コネクタの構造は従来技術文献に記載されている（例えば、特許文献１参照）。
【特許文献１】中国特許第２，３６０，９７８号明細書
【０００３】
ところが、固持部は、シールド部の両端から外へ延在するため、長さが増大してしまう。更に、該電気コネクタは、ピンを設けることによって製作過程が複雑になってしまうと共に、製作費用も増大してしまう。
【０００４】
従って、本考案は、前記の欠点を克服するために、新しい形式の電気コネクタを設計するものである。
【考案の開示】
【考案が解決しようとする課題】
【０００５】
本考案の目的は、こうした従来の問題点を解決した電気コネクタを提供することである。すなわち、従来の技術とは異なり、構造も製造も簡単な、小型化された電気コネクタが得られるようにする。
【課題を解決するための手段】
【０００６】
本考案は、基部と、絶縁本体と、絶縁本体に挿入される複数の導電端子と、絶縁本体に固着されるハウジングとを備えた電気コネクタに関する。絶縁本体は、基部から延出する舌板と、基部の両端に配置された一対の保持部とを有する。導電端子は、舌板に挿入されるようになっている接触部と、外部に向かって延在する半田部とを含む。ハウジングは、開口が形成された対応筐体を具備する。該対応筐体は、一対の保持部の間に嵌め込まれ、舌板を包囲する。
【考案の効果】
【０００７】
従来の技術に比べると、本考案は以下の長所がある。本考案のハウジングの対応筐体は、一対の保持部の間に嵌め込まれ、舌板を包囲する。絶縁本体には、対応筐体を挟む一対の保持部を設けさえすれば、ハウジングを絶縁本体に固着し得る。ハウジングには、槽状筺の両端から外へ延在する固持部を含ませずに済む。同時に、絶縁本体の保持部には、前記固持部に対応する締め付け部を設ける必要がない。そのため、絶縁本体とハウジングの大きさの縮小を実現できる。小型化された電気コネクタが得られる。又、ピンを設けなくて済むので、該電気コネクタの構造と製造が簡単になる。
【考案を実施するための最良の形態】
【０００８】
図１において、電気コネクタ１００は、絶縁本体１０と、ハウジング２０と、複数の導電端子３０とを備える。
【０００９】
図１乃至図４に示すように、絶縁本体１０は、基部１１０と、該基部１１０の中間から前方に延在する舌板１２０と、基部１１０の両端に配置された一対の保持部１３０とを備えている。前記基部１１０は、頂面１１１と、頂面１１１に対向する実装部１１９と、凹面１１７と、凹面１１７に対向する後面１１８とを有する。頂面１１１には、対称するように配置された一対の凹槽１１２が形成されている。各凹槽１１２の内側には、上方に向かって突出している係合部１１３が設けられている。前記一対の保持部１３０の内表面は、対向する一対の側面１３３を含む。基部１１０には、側面１３３に沿って、凹面１１７と後面１１８とを貫通する一対の貫通槽１１５が形成されている。後面１１８には、一対の対称するように配置された突出部１１６が設けられている。舌板１２０の上表面及び下表面には、互いに平行するように延在し、凹面１１７と後面１１８とを貫通する複数の端子槽１５０が形成されている。端子槽１１５は実装面１１９まで延在する。本実施例において、前記保持部１３０は、導入孔１３２が形成された前表面１３１を含む。導入柱を含む対応コネクタ（図示せず）は、導入柱が導入孔１３２に嵌め込まれることによって、電気コネクタ１００に電気接続される。
【００１０】
ハウジング２０は、一対の歯型の係合部２２１を末端に有する金属片から折り曲げて製作された対応筐体２００を具備する。周囲が密閉された框体をしている対応筐体２００は、頂壁２１０と、頂壁２１０の両端から下方に向かって直角に延在する一対の側壁２３０と、頂壁２１０と平行に配置される底壁２２０と、頂壁２１０、側壁２３０及び底壁２２０によって包囲された開口２０１とを有する。
【００１１】
頂壁２１０の前辺の両端には、一対の凸状部片２１１が、開口２０１に向かって折れ曲がっている。本実施例に示される対応コネクタは、凸状部片２１１に係合させられる狭槽が形成されている。これにより、対応コネクタが正確に該電気コネクタ１００に実装されることを、確保できる。頂壁２１０の後部には、一対の固持部２１２が、後方に向かって対称的に突出している。各固持部２１２には、前記絶縁本体１０の係合部１１３に対応する係合槽２１３が形成されている。各側壁２３０の後部には、水平に後方に向かって延出アーム２３２が設けられている。各延出アーム２３２の末端には、該延出アーム２３２から直角に折れ曲がっている折れ曲げ部２３３が設けられている。各折り曲げ部２３３には、前記絶縁本体１０の突出部１１６に対応する係合孔２３４が形成されている。前記対応筐体の二側壁２３０には、それぞれ絶縁本体１０の基部１１０から離反するように半田脚２３１が設けられている。底壁２２０は、互いに係合し合う一対の係合部２２１が設けられた金属片の末端を含む。開口２０１は、対応コネクタを収容するために用いる。
【００１２】
導電端子３０は、複数の第１導電端子３１と第２導電端子３２とを有する。第１導電端子３１は、第１接触部３１１と、第１接触部３１１の末端から下方に向かって直角に折り曲がっている第１半田部３１２とを含む。第２導電端子３２は、第２接触部３２１と、第２接触部３２１の末端から直角に折り曲がっているＬ字状の第２半田部３２２とを含む。
【００１３】
図２及び図４に示すように、該電気コネクタ１００を取り付ける際には、複数の導電端子３０を絶縁本体１０に挿入する。第１導電端子３１は、絶縁本体１０の舌板１２０の下表面に形成された複数の端子槽１５０に挿入される。第２導電端子３２は、舌板１２０の上表面に形成された複数の端子槽１５０に挿入される。第１、第２導電端子３１、３２の第１、第２接触部３１１、３２１は、対応する端子槽１５０に収容される。第１導電端子３１の第１半田部３１２は、下方に向かって突出していて、外部に延在する。第２導電端子３２の第１半田部３２２は、水平に外部に延在する。
【００１４】
次に、ハウジング２０を、導電端子３０が挿入された絶縁本体１０に装入する。ハウジング２０の対応筐体２００は、一対の保持部１３０の間に嵌め込まれ、舌板１２０を包囲する。ハウジング３０の一対の側壁２３０の間の距離と、絶縁本体１０の一対の側面１３３の距離は、ほぼ同じである。側壁２３０は側面１３３に接触する。延出アーム２３２は、実装面１１９の側から上方に向かって、対応する貫通槽１１５に挿入され、係合孔２３４が突出部１１６に係合する。固持部２１２は凹槽１１２に嵌め込まれ、係合槽２１３が係合部１１３に係合する。これにより、ハウジング２０は、絶縁本体１０に固着される。この状態では、対応筐体２００の前辺と、保持部１３０の前表面１３１とは、ほぼ同じ平面に位置する。
【００１５】
電気コネクタ１００のハウジング２０は、絶縁本体１０の一対の保持部１３０の間に嵌め込まれる。絶縁本体の一対の側面１３３の間の距離は、ハウジング３０の一対の側壁２３０の間の距離と、ほぼ同じである。側壁２３０は側面１３３に接触する。該電気コネクタ１００は、体積が縮小されていて、かつ強度が高められている。部品が少ないことから、構造及び製造が簡単になる。
【００１６】
本考案の多数の特徴及び長所は、その構造及び機能に関して前述の記載により共に既述された。また、前述の記載や、本考案に基づきなし得る細部の修正或は変更などは、いずれも本考案の請求範囲に属するものである。
【産業上の利用可能性】
【００１７】
本考案は電気コネクタに関し、特に、構造も製造も簡単な、小型化された電気コネクタに関する。
【図面の簡単な説明】
【００１８】
【図１】本考案の電気コネクタの分解斜視図である。
【図２】本考案の電気コネクタの組立斜視図である。
【図３】本考案の電気コネクタの図２のＡ―Ａの方向に沿った断面図である。
【図４】本考案の電気コネクタの別の組立斜視図である。
【符号の説明】
【００１９】
１０  絶縁本体
２０  ハウジング
３０  導電端子
３１  第１導電端子
３２  第２導電端子
１００  電気コネクタ
１１０  基部
１１１  頂面
１１２  凹槽
１１３  係合部
１１５  貫通槽
１１６  突出部
１１７  凹面
１１８  後面
１１９  実装面
１２０  舌板
１３０  保持部
１３１  前表面
１３２  導入孔
１３３  側面
１５０  端子槽
２００  対応筐体
２０１  開口
２１０  頂壁
２１１  凸状部片
２１２  固持部
２１３  係合槽
２２０  底壁
２２１  係合部
２３０  側壁
２３１  半田脚
２３２  延出アーム
２３３  折り曲げ部
２３４  係合孔
３１１  第１接触部
３１２  第１半田部
３２１  第２接触部
３２２  第２半田部
【図１】
0003118092.tif 000003
【図２】
0003118092.tif 000004
【図３】
0003118092.tif 000005
【図４】
0003118092.tif 000006